(57)【要約】【課題】クイックコネクタに対して強い外力が働くことによってニップル部が付根部位で折れたり損傷したりするのを有効に防止することのできるクイックコネクタの防護カバーを提供する。【解決手段】内側の挿入空間２２に相手パイプ１４を軸方向に挿入させる挿入部２４と、挿入部２４の抜止用のリテーナ２０と、外周面に喰込歯２８を有する小径のニップル部２６とを有するクイックコネクタ１６のニップル部２６を防護する防護カバー５０を、非可撓性の剛性材にて構成された防護本体部としての筒状部５１と固定部としての爪５２とを備えて構成し、爪５２にて防護カバー５０をクイックコネクタ１６に固定して筒状部５１によりチューブ１０の外周面との間に隙間形成する状態にニップル部２６を外周側から覆い、ニップル部２６を外側から防護する。【選択図】        図１
2007010108.tif 000002
【特許請求の範囲】
【請求項１】
(a)内側の挿入空間に相手パイプを軸方向に挿入させる挿入部と、(b)該相手パイプに対して該挿入部を抜止めする、径方向に弾性変形可能なリテーナと、(c)該挿入部に対して小径をなし、配管用チューブの内部に圧入されて、外周面に形成された喰込歯を該チューブの内面に喰い込ませ、該チューブに抜止状態に固定されるニップル部と、を有するクイックコネクタの該ニップル部を防護する部材であって、
非可撓性の剛性材にて構成された防護本体部としての筒状部と、前記クイックコネクタへの固定部とを有しており、該筒状部にて該筒状部の内周面と前記チューブの外周面との間に全周に亘り隙間形成する状態に前記ニップル部を外周側から覆い、該ニップル部を外側から防護するようになしてあることを特徴とするクイックコネクタの防護カバー。
【請求項２】
請求項１において、前記固定部が、径方向内方に突出し前記クイックコネクタの外周面の溝に係入して軸方向の固定を行う爪を有していることを特徴とするクイックコネクタの防護カバー。
【請求項３】
請求項２において、前記防護カバーが金属製であって、前記固定部がかしめ加工によって前記爪を前記溝に係入させるものであることを特徴とするクイックコネクタの防護カバー。
【請求項４】
請求項２において、前記固定部が、径方向に弾性を有する弾性片と、該弾性片に設けられた前記爪とを有しており、軸方向のスライド移動により該弾性片の弾性変形を伴って該爪を前記溝に係入可能なものとなしてあることを特徴とするクイックコネクタの防護カバー。
【請求項５】
請求項１，２の何れかにおいて、前記防護カバーが軸直角方向の分割構成となしてあり、且つ各分割体にはそれら分割体を軸直角方向に結合するための結合部が設けてあることを特徴とするクイックコネクタの防護カバー。
【請求項６】
請求項１〜５の何れかにおいて、前記筒状部とチューブとの間の隙間は、該チューブを被覆する状態に該チューブに嵌装された弾性材から成るチューブプロテクタが挿入可能な隙間であることを特徴とするクイックコネクタの防護カバー。
【発明の詳細な説明】
【技術分野】
【０００１】
この発明は配管用チューブと相手パイプとを接続するためのクイックコネクタ、特にニップル部の損傷を防止するための防護カバーに関する。
【背景技術】
【０００２】
従来配管用チューブ、特に樹脂製のチューブを相手パイプに接続するための継手として、ワンタッチで迅速に接続を行うことのできるクイックコネクタが広く用いられている。
図１３及び図１４はその一例を示している。
同図において２００は配管用の樹脂製のチューブで、２０２はこれを接続すべき相手パイプ（ここでは金属製）である。
相手パイプ２０２には、その外周面に径方向外方に環状に膨出するバルジ部２０４が設けられている。
２０６はクイックコネクタ（ここでは樹脂製）で、コネクタ本体２０８とリテーナ２１０とを有している。
【０００３】
コネクタ本体２０８は、内側の挿入空間２１２に相手パイプ２０２を挿入させる筒状の挿入部２１４と、これより小径をなすニップル部２１６とを有している。
ニップル部２１６は、チューブ２００内部に圧入される部分であって、その外周面に且つ軸方向の異なった複数箇所に断面が鋸歯状の先端が鋭角をなす環状の喰込歯２１８が形成されている。
ニップル部２１６は、チューブ２００への圧入時にこれら喰込歯２１８をチューブ２００の内面に喰い込ませ、その喰込作用でチューブ２００に抜止状態に固定される。
尚、ニップル部２１６の先端部外周面には環状の保持溝が形成されていて、そこにシールリングとしての弾性を有するＯリング２２０が保持されており、このＯリング２２０にてニップル部２１６とチューブ２００との間が液密にシールされる。
【０００４】
上記挿入部２１４の内側には、シールリングとしての弾性を有するＯリング２２２，２２２とブッシュ２２４とが保持されており、挿入空間２１２に挿入された相手パイプ２０２と挿入部２１４との間が、これらＯリング２２２，２２２にて液密にシールされる。
【０００５】
上記コネクタ本体２０８には、図中左端側にソケット状をなすリテーナ保持部２２６が備えられている。
このリテーナ保持部２２６はリテーナ２１０を内部に収容状態で保持する部分で、コネクタ本体２０８はこのリテーナ２１０を介して相手パイプ２０２と接続される。
このリテーナ保持部２２６には円弧状の窓部２２８と、同じく円弧状をなす係止部２３０とが備えられており、この係止部２３０にリテーナ２１０の係止溝２３２が径方向内方から嵌り合うことによって、リテーナ２１０がリテーナ保持部２２６に軸方向に固定状態に保持される。
【０００６】
リテーナ２１０は全体として略環状をなす部材であって、径方向に弾性変形可能とされている。
このリテーナ２１０には係合凹部２３４が設けられており、この係合凹部２３４に、相手パイプ２０２のバルジ部２０４が径方向内方から嵌り合うことによって、相手パイプ２０２が軸方向に固定される。
即ちかかるリテーナ２１０によって、挿入部２１４に挿入された相手パイプ２０２に対し挿入部２１４が軸方向に抜止めされる。
【０００７】
このクイックコネクタ２０６を用いてチューブ２００を相手パイプ２０２に接続するには、予めニップル部２１６をチューブ２００内部に圧入して固定しておき（図１４参照）、またリテーナ保持部２２６にリテーナ２１０を保持させておき、その状態で相手パイプ２０２を挿入部２１４に挿入することで、簡単にチューブ２００と相手パイプ２０２とを接続状態とすることができる。
相手パイプ２０２を挿入部２１４に挿入すると、相手パイプ２０２のバルジ部２０４がリテーナ２１０の係合凹部２３４に係合して、コネクタ本体２０８と相手パイプ２０２とが軸方向に固定状態となり、このとき相手パイプ２０２とコネクタ本体２０８とはＯリング２２２，２２２にて液密にシールされた状態となる。
【０００８】
このクイックコネクタ２０６は自動車の配管用、例えば燃料輸送配管用のチューブの接続用等として広く用いられているが、このクイックコネクタ２０６の場合、チューブ２００内部への圧入部であるニップル部２１６が小径をなしているため、車両衝突時にクイックコネクタ２０６が周辺部材に勢い良く当り、ニップル部２１６に対して強い外力が働いたときに、ニップル部２１６の付根部位に大きな応力が集中的に働いて、ニップル部２１６がその付根部位で折れてしまうといったことが危惧される。
而してクイックコネクタ２０６が燃料輸送配管用のチューブの接続用として用いられている場合、そこから内部の燃料が漏出してしまう問題を生ずる。
【０００９】
本発明はこのような問題を解決するために案出されたものである。
尚、本発明に対する先行技術として下記特許文献１に開示されたものがある。
しかしこの特許文献１に開示のものは、車両走行時の飛び石から樹脂製のチューブを防護し、また耐火炎性を高める目的でチューブの外周面にゴム製のチューブプロテクタを嵌装してチューブを防護するようになしたもので、このチューブプロテクタはクイックコネクタを防護するものではなく、その対象が本発明とは異なっている。
【００１０】
【特許文献１】特開平９−２１７８７７号公報
【発明の開示】
【発明が解決しようとする課題】
【００１１】
本発明は以上のような事情を背景とし、クイックコネクタに対して強い外力が働くことによってニップル部が付根部位で折れたり損傷したりするのを有効に防止することのできるクイックコネクタの防護カバーを提供することを目的としてなされたものである。
【課題を解決するための手段】
【００１２】
而して請求項１のものは、(a)内側の挿入空間に相手パイプを軸方向に挿入させる挿入部と、(b)該相手パイプに対して該挿入部を抜止めする、径方向に弾性変形可能なリテーナと、(c)該挿入部に対して小径をなし、配管用チューブの内部に圧入されて、外周面に形成された喰込歯を該チューブの内面に喰い込ませ、該チューブに抜止状態に固定されるニップル部と、を有するクイックコネクタの該ニップル部を防護する部材であって、非可撓性の剛性材にて構成された防護本体部としての筒状部と、前記クイックコネクタへの固定部とを有しており、該筒状部にて該筒状部の内周面と前記チューブの外周面との間に全周に亘り隙間形成する状態に前記ニップル部を外周側から覆い、該ニップル部を外側から防護するようになしてあることを特徴とする。
【００１３】
請求項２のものは、請求項１において、前記固定部が、径方向内方に突出し前記クイックコネクタの外周面の溝に係入して軸方向の固定を行う爪を有していることを特徴とする。
【００１４】
請求項３のものは、請求項２において、前記防護カバーが金属製であって、前記固定部がかしめ加工によって前記爪を前記溝に係入させるものであることを特徴とする。
【００１５】
請求項４のものは、請求項２において、前記固定部が、径方向に弾性を有する弾性片と、該弾性片に設けられた前記爪とを有しており、軸方向のスライド移動により該弾性片の弾性変形を伴って該爪を前記溝に係入可能なものとなしてあることを特徴とする。
【００１６】
請求項５のものは、請求項１，２の何れかにおいて、前記防護カバーが軸直角方向の分割構成となしてあり、且つ各分割体にはそれら分割体を軸直角方向に結合するための結合部が設けてあることを特徴とする。
【００１７】
請求項６のものは、請求項１〜５の何れかにおいて、前記筒状部とチューブとの間の隙間は、該チューブを被覆する状態に該チューブに嵌装された弾性材から成るチューブプロテクタが挿入可能な隙間であることを特徴とする。
【発明の作用・効果】
【００１８】
以上のように本発明は、非可撓性の剛性材にて構成された防護本体部としての筒状部と、固定部とを有する防護カバーを固定部にてクイックコネクタに固定し、そして筒状部にてニップル部を外周側から且つチューブの外周面との間に隙間形成する状態に覆い、かかるニップル部を外側から防護するようになしたもので、本発明によれば、車両衝突時にチューブと相手パイプとの接続部に大きな外力が働いたとき、その外力を防護カバーにて受けることができ、且つかかる防護カバーとチューブとの間には隙間が形成されているため、その外力がニップル部に伝達されるのを遮断ないし緩和することができる。
これによりニップル部が付根部位で損傷したり折れたりするのを良好に防止することができる。
【００１９】
本発明においては、上記防護カバーの固定部を、径方向内方に突出し、クイックコネクタの外周面の溝に係入して軸方向の固定を行う爪を有するものとなしておくことができる（請求項２）。
このようにすれば、その爪をクイックコネクタの溝に係入させることで簡単にクイックコネクタへの防護カバーの固定を行うことができる。
【００２０】
この場合において防護カバーを金属製となし、その一部を縮径変形加工、即ちかしめ加工して上記爪をクイックコネクタの溝に係入させるようになすことができる（請求項３）。
この場合、クイックコネクタに対する防護カバーの固定力を強固なものとなすことができる。
【００２１】
一方請求項４に従って上記固定部を、径方向に弾性を有する弾性片と、その弾性片に設けた爪とを備えて構成し、軸方向のスライド移動により弾性片の弾性変形を伴って、爪をクイックコネクタの溝に係入させることで固定を行うようになすことができる。
上記請求項３に従って防護カバーをクイックコネクタに固定するようになした場合、かしめ付固定のための設備を必要とし、コストも高くなってしまう問題が生ずるが、請求項４の場合、単に防護カバーを軸方向にスライド移動させるだけで、簡単に固定を行うことができ、またかしめ付固定用の設備も不要となし得てコストを安価となすことができる。
【００２２】
本発明ではまた、防護カバーを軸直角方向の分割構成となし、そして各分割体のそれぞれに、各分割体を軸直角方向に結合するための結合部を設けておくことができる（請求項５）。
この請求項５によれば、クイックコネクタのニップル部をチューブに圧入して固定した状態で防護カバーを後組付けで組み付けられる利点が生ずる。
即ち請求項３の場合、通常はニップル部をチューブに圧入して固定する前に、予めクイックコネクタに防護カバーをかしめ付固定しておかなければならず、また請求項４の場合、防護カバーを一体の筒状体として構成しておくと、チューブへのニップル部の圧入に先立って、予め防護カバーをチューブに嵌装しておかなければならないのに対し、請求項５では、チューブにニップル部を圧入して、クイックコネクタとチューブとを接続した後において、防護カバーの後組付けができる利点が得られる。
【００２３】
本発明においては、筒状部とチューブとの間に、チューブを被覆する状態にチューブに嵌装された弾性材から成るチューブプロテクタを挿入できる隙間を確保しておくことが望ましい（請求項６）。
このようにしておけば、チューブの外周面をチューブプロテクタにて防護する場合において、そのチューブプロテクタごと防護カバーにて外側から覆い、防護することが可能となり、チューブプロテクタの端部を敢えて除去しなくても、防護カバーの組付け或いはチューブプロテクタの組付けを行うことができる利点が得られる。
【発明を実施するための最良の形態】
【００２４】
次に本発明の実施形態を図面に基づいて詳しく説明する。
図１〜図４において、１０は樹脂製のチューブ（ここでは自動車の燃料輸送配管用のチューブ）で、１２はその外周面を被覆する状態にチューブ１０に嵌装されたゴム製のチューブプロテクタである。
このチューブプロテクタ１２は、飛び石が衝突することによってチューブ１０が衝撃により割れたり損傷したりするのを防止し、またチューブ１０の耐火炎性の低さを補うべくチューブ１０に被せられてチューブ１０を防護する働きをなす。
１４は相手パイプ（ここでは金属製）で、その外周面に径方向外方に環状に膨出するバルジ部１５が設けられている。
【００２５】
１６は継手としての樹脂製のクイックコネクタで、図４にも示しているようにコネクタ本体１８と、リテーナ２０とを有している。
コネクタ本体１８は、内側の挿入空間２２に相手パイプ１４を挿入させる筒状の挿入部２４と、これより小径をなすニップル部２６とを有している。
【００２６】
ニップル部２６は、チューブ１０の内部に圧入される部分であって、その外周面に且つ軸方向の異なった複数箇所に断面が鋸歯状の先端が鋭角をなす環状の喰込歯２８が形成されている。
ニップル部２６は、チューブ１０への圧入時にこれら喰込歯２８をチューブ１０の内面に喰い込ませ、その喰込作用でチューブ１０に抜止状態に固定される。
尚、ニップル部２６の先端部外周面には環状の保持溝が形成されていて、そこにシールリングとしての弾性を有するＯリング３０が保持されており、そのＯリング３０によってニップル部２６とチューブ１０との間が液密にシールされる。
【００２７】
一方、挿入部２４の内側にはシールリングとしての弾性を有するＯリング３２，３２とブッシュ３４とが保持されており、挿入空間２２に挿入された相手パイプ１４の外周面にＯリング３２，３２が弾性接触して、相手パイプ１４と挿入部２４との間を液密にシールする。
【００２８】
コネクタ本体１８にはまた、挿入部２４の図中左側の端部にソケット状をなすリテーナ保持部３６が備えられている。
このリテーナ保持部３６は、リテーナ２０を内部に収容状態に保持する部分で、コネクタ本体１８はこのリテーナ２０を介して相手パイプ１４と接続される。
このリテーナ保持部３６には円弧状の窓部３８と、同じく円弧状をなす係止部４０とが備えられており、この係止部４０に対してリテーナ２０の係止溝４２が径方向内方から嵌り合うことで、リテーナ２０がリテーナ保持部３６に軸方向に固定状態に保持される。
【００２９】
リテーナ２０は全体として略環状をなす部材であって、径方向に弾性変形可能とされている。
このリテーナ２０には係合凹部４４が設けられており、この係合凹部４４に、相手パイプ１４のバルジ部１５が径方向内方から嵌り合うことによって、相手パイプ１４とリテーナ２０とが、即ちかかるリテーナ２０を介して相手パイプ１４とコネクタ本体１８とが軸方向に抜止状態に固定される。
【００３０】
尚リテーナ２０には略テーパ形状をなす内周カム面４６と外周カム面４８とが設けられている。
ここで内周カム面４６は、相手パイプ１４を軸方向に挿入する際にバルジ部１５を移動案内するとともに、リテーナ２０全体を径方向に弾性的に拡開変形させることで、バルジ部１５を係合凹部４４に到る位置まで通過可能とする。
一方外周カム面４８は、リテーナ２０をリテーナ保持部３６に挿入する際にリテーナ２０全体を弾性的に縮径変形させ、係止溝４２をリテーナ保持部３６の係止部４０に嵌込可能とする。
【００３１】
５０はクイックコネクタ１６の防護カバー（ここでは金属製）で、全体として円筒形状をなす防護本体部としての筒状部５１と、径方向内方に突出する固定部としての爪５２とを有している。
この筒状部５１には図中右端部に、ニップル部２６をチューブ１０の内部に圧入する際、チューブ１０に対してガイドをなすテーパ部５４が設けられている。
【００３２】
図１は防護カバー５０をクイックコネクタ１６に組付固定した状態を表している。
図示のようにこの実施形態では、防護カバー５０の図中左端部が径方向内方に縮径変形加工（かしめ加工）されることで、爪５２がクイックコネクタ１６、詳しくは挿入部２４の外周面に形成された環状の溝５６内に係入させられ、これにより防護カバー５０がクイックコネクタ１６に軸方向に固定状態に組み付けられている。
図１において５８はそのかしめ部を表している。
【００３３】
図１に示しているように、防護カバー５０はニップル部２６を全体的に覆う長さで形成されている。
詳しくは、その先端がニップル部２６の先端よりも図中右側に一定距離突出する長さとされている。
また図１の組付状態において、筒状部５１の内周面とチューブ１０の外周面との間に、全周に亘り隙間形成するように筒状部５１の形状が予め定められている。
即ち防護カバー５０は、その太さ（径）がニップル部２６に対して十分に太いものとされている。
この実施形態では、防護カバー５０の筒状部５１とチューブプロテクタ１２との間にも所定の環状の隙間が形成されるようにその径が定められている。
【００３４】
図５はクイックコネクタ１６への防護カバー５０の組付け及びクイックコネクタ１６とチューブ１０との圧入接続の手順を示している。
尚チューブ１０の外周面には、防護カバー５０の図中右端から軸方向右側に露出した部分の外表面に、圧入位置確認用のペイントマーク６０が施してある。
このペイントマーク６０は、後述するように防護カバー５０をクイックコネクタ１６に組み付けた状態でニップル部２６をチューブ１０内に圧入する際、必要な圧入長さに亘って圧入が正しく行われたか否かを確認するために用いられる。
【００３５】
同図に示しているように、この実施形態では予め防護カバー５０をクイックコネクタ１６にかしめ付けによって固定しておく。
この状態で図５（Ｉ）に示しているように、クイックコネクタ１６のニップル部２６をチューブ１０の内部に圧入して、クイックコネクタ１６とチューブ１０との接続を行う。
このとき、チューブ１０の表面に施したペイントマーク６０を防護カバー５０の軸方向端の位置に視認することで、圧入が十分適正に行われたことを確認することができる。
【００３６】
続いて図５（II）に示しているように、予めチューブ１０に外嵌状態に嵌装してあるチューブプロテクタ１２を軸方向（図中左方向）に移動させて、その先端部をチューブ１０と防護カバー５０との間の環状の隙間に挿入する。
図５（III）はこのようにしてチューブプロテクタ１２を防護カバー５０の内側に挿入した状態を表している。
【００３７】
以上のような本実施形態のクイックコネクタ１６の防護カバー５０によれば、車両衝突時にチューブ１０と相手パイプ１４との接続部に大きな外力が働いた場合においても、その外力を防護カバー５０にて受けることができ、且つかかる防護カバー５０とチューブ１０との間には隙間が形成されているため、その外力がニップル部２６に伝達されるのを遮断ないし緩和することができる。
これによりニップル部２６が付根部位で損傷したり折れたりするのを良好に防止することができる。
【００３８】
また本実施形態においては、防護カバー５０に径方向内方に突出する爪５２を設けて、これをクイックコネクタ１６の外周面の溝５６に係入させ、軸方向の固定を行うようになしてあるため、防護カバー５０を簡単にクイックコネクタ１６に固定することができる。
しかもここではかしめ加工により爪５２を溝５６に係入させるようにしているため、クイックコネクタ１６に対する防護カバー５０の固定力を強固なものとすることができる。
【００３９】
本実施形態においては、防護カバー５０とチューブ１０との間にチューブプロテクタ１２を挿入可能な隙間を確保してあるため、チューブプロテクタ１２ごと防護カバー５０にて外側から覆い防護することが可能であり、チューブプロテクタ１２の端部、詳しくは防護カバー５０の位置している部分を敢えて除去しなくても、防護カバー５０の組付け或いはチューブプロテクタ１２の組付けを行うことができる。
【００４０】
図６〜図８は本発明の他の実施形態を示している。
この実施形態では、クイックコネクタ１６の防護カバー５０が非可撓性の硬質の樹脂製（又は金属製）で、一体の円筒形状をなしている。
この例では、図７に示しているように防護カバー５０に略コ字形状の切欠６２が設けられることによって、弾性片６４が備えられている。
図６に示すように弾性片６４の先端部は径方向内方に折れ曲がった爪６６とされており、本実施形態ではこの弾性片６４と爪６６とによって固定部が構成されている。
尚弾性片６４及び爪６６は、周方向に１８０°隔たった２箇所に設けられている。但し２箇所以上の複数箇所にかかる固定部を設けておいても良い。
【００４１】
図６に示しているように、この実施形態では固定部における爪６６の内面が、防護カバー５０を図中左向きに軸方向にスライド移動させる際、クイックコネクタ１６の溝５６を形成する突起７０に爪６６が乗り上げ且つこれを通過するためのテーパ面（ガイド面）６８とされている。
【００４２】
図６は防護カバー５０をクイックコネクタ１６に組み付けた状態を表しており、このとき爪６６はクイックコネクタ１６の溝５６に係入した状態となって、防護カバー５０をクイックコネクタ１６に対し軸方向に固定状態とする。
【００４３】
図８は本実施形態における防護カバー５０のクイックコネクタ１６への組付けの手順を表している。
図８（Ｉ）に示しているように、この実施形態では予めクイックコネクタ１６のニップル部２６をチューブ１０の内部に圧入固定し、更にチューブプロテクタ１２を、チューブ１０の端部まで外側から被覆する状態に嵌装しておく。
そしてその状態で、予めチューブプロテクタ１２に外嵌状態に嵌装した防護カバー５０を、図中左向きに軸方向にスライド移動させる。
このとき、防護カバー５０の径方向内方に突出した爪６６が、クイックコネクタ１６の突起７０に当って弾性片６４が径方向外方に弾性変形し、その弾性変形を伴ってテーパ面６８のガイド作用で爪６６が突起７０を乗り越えて溝５６に係入する。
この状態で防護カバー５０がクイックコネクタ１６に軸方向に固定された状態となる（図８（II）参照）。
【００４４】
この実施形態によれば、単に防護カバー５０を軸方向にスライド移動させるだけで簡単に固定を行うことができ、またかしめ付固定用の設備も不要であるのでコストを安価となすことができる。
【００４５】
図９〜図１２は本発明の更に他の実施形態を示している。
図９に示しているように、この実施形態においても防護カバー５０が非可撓性の硬質の樹脂製（又は金属製）で円筒状に構成されており、径方向内向きに突出する爪７２を、クイックコネクタ１６の溝５６に係入させることで、クイックコネクタ１６に対し軸方向に固定状態に組み付けられる。
この実施形態では、図１０及び図１１に示しているように防護カバー５０が軸直角方向に２分割されており、各分割体５０Ａ，５０Ａが結合されることで、全体の防護カバー５０が構成されている。
【００４６】
図１１に示しているように、各分割体５０Ａのそれぞれには分割体５０Ａ同士を軸直角方向に結合するための結合部７４が設けられている。
詳しくは、断面半円形状をなす各分割体５０Ａのそれぞれの周方向端部に、径方向外方に突出する鍔状部７６が全長に亘って設けられており、更に各分割体５０Ａには、弾性片７８とその先端の鉤状をなす掛止部８０とが設けられており、それら掛止部８０が相手側の分割体５０Ａの鍔状部７６に弾性的に掛止されることで、一対の分割体５０Ａ，５０Ａが軸直角方向にスナップアクションで互いに結合される。
ここで鉤状をなす掛止部８０の外面は、結合時のガイドをなすカム面８２とされている。
【００４７】
図１２は本実施形態の防護カバー５０の組付けの手順を表している。
図１２（Ｉ）に示しているように、この実施形態では図６〜図８に示す実施形態と同様、予めニップル部２６をチューブ１０の内部に圧入固定し、更にまたチューブプロテクタ１２にてチューブ１０の端部までその外周面を被覆しておき、その状態で一対の分割体５０Ａ，５０Ａを軸直角方向に結合する。
このとき、一対の分割体５０Ａ，５０Ａは結合部７４における掛止部８０のカム面８２の作用及び弾性片７８の弾性変形作用に基づいてワンタッチで互いに結合される（図１２（II），（III）参照）。
【００４８】
またこのようにして一対の分割体５０Ａ，５０Ａを軸直角方向に結合して防護カバー５０を組み付けるのと同時に、防護カバー５０に設けられた爪７２が、クイックコネクタ１６の溝５６に係入した状態となって、防護カバー５０が軸方向に固定状態にクイックコネクタ１６に組み付けられる。
【００４９】
この実施形態によれば、クイックコネクタ１６のニップル部２６をチューブ１０に圧入し固定した状態の下で、防護カバー５０（分割体５０Ａ，５０Ａ）を後組付けで組み付けることができる。
即ち、図１〜図５に示す実施形態の場合、ニップル部２６をチューブ１０に圧入して固定する前に、予めクイックコネクタ１６に防護カバー５０をかしめ付固定しておかなければならず、また図６〜図８に示す実施形態の場合、防護カバー５０をチューブ１０へのニップル部２６の圧入に先立って予めチューブ１０にスライド移動可能に嵌装しておかなければならないのに対し、この図９〜図１２に示す実施形態では、チューブ１０にニップル部２６を圧入してクイックコネクタ１６とチューブ１０とを接続した後において、防護カバー５０（分割体５０Ａ，５０Ａ）を後組付けすることができる。
【００５０】
以上本発明の実施形態を詳述したがこれらはあくまで一例示であり、例えば本発明において防護カバーは完全な筒体をなしていなくても、外力を受けてクイックコネクタのニップル部を防護できるものであれば支障無く、その形態については上例以外の他の様々な形態となすことができるなど、本発明はその趣旨を逸脱しない範囲において種々変更を加えた形態で構成可能である。
【図面の簡単な説明】
【００５１】
【図１】本発明の一実施形態であるクイックコネクタの防護カバーを組付状態で示す図である。
【図２】同実施形態の組付状態の斜視図である。
【図３】図１，図２の各部材を分解して示す斜視図である。
【図４】図１，図２の各部材を分解して示す断面図（一部省略）である。
【図５】同実施形態の防護カバーの組付手順の説明図である。
【図６】本発明の他の実施形態を示す図である。
【図７】同実施形態の斜視図である。
【図８】同実施形態の防護カバーの組付手順の説明図である。
【図９】本発明の更に他の実施形態を示す図である。
【図１０】同実施形態の斜視図である。
【図１１】同実施形態の防護カバーを単品で示す図である。
【図１２】同実施形態の防護カバーの組付手順の説明図である。
【図１３】従来用いられているクイックコネクタの一例を示す図である。
【図１４】図１３のクイックコネクタとチューブとの圧入接続の手順の説明図である。
【符号の説明】
【００５２】
１０  チューブ
１２  チューブプロテクタ
１４  相手パイプ
１６  クイックコネクタ
２０  リテーナ
２２  挿入空間
２４  挿入部
２６  ニップル部
２８  喰込歯
５０  防護カバー
５０Ａ  分割体
５１  筒状部
５２，６６，７２  爪
５６  溝
６４  弾性片
７４  結合部
【図１】
2007010108.tif 000003
【図２】
2007010108.tif 000004
【図３】
2007010108.tif 000005
【図４】
2007010108.tif 000006
【図５】
2007010108.tif 000007
【図６】
2007010108.tif 000008
【図７】
2007010108.tif 000009
【図８】
2007010108.tif 000010
【図９】
2007010108.tif 000011
【図１０】
2007010108.tif 000012
【図１１】
2007010108.tif 000013
【図１２】
2007010108.tif 000014
【図１３】
2007010108.tif 000015
【図１４】
2007010108.tif 000016